(57)【要約】【課題】順番に表示される複数の情報の内容を効率的に運転者に認識させる車載表示システムを提供すること。【解決手段】所定の表示領域に複数の情報を順番に且つ循環的に表示させる車載表示システム（１００）は、その所定の表示領域に表示される情報を運転者が認識するのに要する認識時間を情報毎に推定する認識時間推定手段（１１）と、認識時間推定手段（１１）が情報毎に推定した認識時間に基づいてその所定の表示領域に表示させる情報を切り換える出力切り替え手段（１２）と、を備える。【選択図】図１
2010201977.tif 000002
【特許請求の範囲】
【請求項１】
所定の表示領域に複数の情報を表示させる車載表示システムであって、
前記所定の表示領域に表示される情報を運転者が認識するのに要する認識時間を情報毎に推定する認識時間推定手段と、
前記認識時間推定手段が情報毎に推定した認識時間に基づいて前記所定の表示領域に表示させる情報を切り換える出力切り替え手段と、
を備えることを特徴とする車載表示システム。
【請求項２】
前記認識時間推定手段は、前記所定の表示領域に表示される情報の情報量に基づいて認識時間を情報毎に推定する、
ことを特徴とする請求項１に記載の車載表示システム。
【請求項３】
前記認識時間推定手段は、前記所定の表示領域に表示される情報に含まれる文字情報の文節数、単語数、文字数、若しくは画素数、又は、文字の色、大きさ若しくは書体に基づいて認識時間を情報毎に推定し、或いは、前記所定の表示領域に表示される情報に含まれるグラフィック情報の色、大きさ、又は背景色に基づいて認識時間を情報毎に推定する、
ことを特徴とする請求項１に記載の車載表示システム。
【請求項４】
前記認識時間推定手段は、前記所定の表示領域に表示される情報が表す意味内容に基づいて認識時間を情報毎に推定し、
前記意味内容は、現在生じている事象の状態を表す内容、又は、該状態に対して運転者が取り得る処置を表す内容を含み、
前記認識時間推定手段は、状態を表す内容及び処置を表す内容の何れか一方を含む情報の認識時間を、状態を表す内容及び処置を表す内容の双方を含む情報の認識時間よりも短くする、
ことを特徴とする請求項１に記載の車載表示システム。
【請求項５】
運転者の情報認識能力を判定する情報認識能力判定手段を備え、
前記認識時間推定手段は、前記情報認識能力判定手段の判定結果に基づいて、認識時間を情報毎に推定する、
ことを特徴とする請求項１に記載の車載表示システム。
【請求項６】
運転者の意識レベルを検知する意識レベル検知部を備え、
前記情報認識能力判定手段は、前記意識レベル検知部が検知した運転者の意識レベルに基づいて運転者の情報認識能力を判定する、
ことを特徴とする請求項５に記載の車載表示システム。
【請求項７】
前記情報認識能力判定手段は、運転者の年齢に基づいて運転者の情報認識能力を判定する、
ことを特徴とする請求項５に記載の車載表示システム。
【発明の詳細な説明】
【技術分野】
【０００１】
本発明は、所定の表示領域に複数の情報を表示させる車載表示システムに関する。
【背景技術】
【０００２】
従来、小さな表示領域しか持たない車載表示装置に対して、表示すべき複数の情報が一時期に集中して入力された場合に、予め定められた表示時間（３秒間）で表示を切り替えながらそれら複数の情報を順番に且つ繰り返し表示させる表示方法が知られている（例えば、特許文献１参照。）。
【０００３】
この表示方法は、一つの情報を表示する時間として予め定められた標準的な表示時間（１０秒間）を用いたまま複数の情報を順番に表示させた場合には、例えば三件目の情報を運転者に視認させるまでに少なくとも２０秒を要することとなり、情報の伝達が遅延してしまうといった状況を回避するためのものである。
【先行技術文献】
【特許文献】
【０００４】
【特許文献１】特開２００３−３４５３３０号公報
【発明の概要】
【発明が解決しようとする課題】
【０００５】
しかしながら、特許文献１に記載の表示方法は、表示される情報の内容がそれぞれ異なるにもかかわらず一定の表示時間（３秒間）が経過した時点で表示を切り替えるようにするので、情報によってはその一回の表示時間（３秒間）が短すぎるために表示された内容を運転者が十分に認識できない場合があり、また、情報によってはその一回の表示時間（３秒間）が長すぎるために次の情報の表示を不必要に遅らせ運転者に違和感を与えてしまう場合がある。
【０００６】
上述の点に鑑み、本発明は、複数の情報の内容を効率的に運転者に認識させる車載表示システムを提供することを目的とする。
【課題を解決するための手段】
【０００７】
上述の目的を達成するために、第一の発明に係る車載表示システムは、所定の表示領域に複数の情報を表示させる車載表示システムであって、前記所定の表示領域に表示される情報を運転者が認識するのに要する認識時間を情報毎に推定する認識時間推定手段と、前記認識時間推定手段が情報毎に推定した認識時間に基づいて前記所定の表示領域に表示させる情報を切り換える出力切り替え手段と、を備えることを特徴とする。
【０００８】
また、第二の発明は、第一の発明に係る車載表示システムであって、前記認識時間推定手段は、前記所定の表示領域に表示される情報の情報量に基づいて認識時間を情報毎に推定することを特徴とする。
【０００９】
また、第三の発明は、第一の発明に係る車載表示システムであって、前記認識時間推定手段は、前記所定の表示領域に表示される情報に含まれる文字情報の文節数、単語数、文字数、若しくは画素数、又は、文字の色、大きさ若しくは書体に基づいて認識時間を情報毎に推定し、或いは、前記所定の表示領域に表示される情報に含まれるグラフィック情報の色、大きさ、又は背景色に基づいて認識時間を情報毎に推定することを特徴とする。
【００１０】
また、第四の発明は、第一の発明に係る車載表示システムであって、前記認識時間推定手段は、前記所定の表示領域に表示される情報が表す意味内容に基づいて認識時間を情報毎に推定し、前記意味内容は、現在生じている事象の状態を表す内容、又は、該状態に対して運転者が取り得る処置を表す内容を含み、前記認識時間推定手段は、状態を表す内容及び処置を表す内容の何れか一方を含む情報の認識時間を、状態を表す内容及び処置を表す内容の双方を含む情報の認識時間よりも短くすることを特徴とする。
【００１１】
また、第五の発明は、第一の発明に係る車載表示システムであって、運転者の情報認識能力を判定する情報認識能力判定手段を備え、前記認識時間推定手段は、前記情報認識能力判定手段の判定結果に基づいて、認識時間を情報毎に推定することを特徴とする。
【００１２】
また、第六の発明は、第五の発明に係る車載表示システムであって、運転者の意識レベルを検知する意識レベル検知部を備え、前記情報認識能力判定手段は、前記意識レベル検知部が検知した運転者の意識レベルに基づいて運転者の情報認識能力を判定することを特徴とする。
【００１３】
また、第七の発明は、第五の発明に係る車載表示システムであって、前記情報認識能力判定手段は、運転者の年齢に基づいて運転者の情報認識能力を判定することを特徴とする。
【発明の効果】
【００１４】
上述の手段により、本発明は、複数の情報の内容を効率的に運転者に認識させる車載表示システムを提供することができる。
【図面の簡単な説明】
【００１５】
【図１】本発明に係る車載表示システムの構成例を示すブロック図である。
【図２】表示部に表示される表示情報の例を示す図（その１）である。
【図３】文字情報に含まれる文節数と認識時間との間の関係の一例を示すグラフである。
【図４】表示部に表示される表示情報の例を示す図（その２）である。
【図５】認識時間推定処理の流れを示すフローチャートである。
【図６】二つの表示情報を切り替えて表示する際の切り替えタイミングを示す図である。
【図７】運転者の意識レベルと認識時間との間の関係の一例を示すグラフである。
【図８】運転者の年齢と認識時間との間の関係の一例を示すグラフである。
【図９】運転者の年齢と認識時間調整倍率との間の関係の一例を示すグラフである。
【図１０】情報表示処理の流れを示すフローチャートである。
【発明を実施するための形態】
【００１６】
以下、図面を参照しつつ、本発明を実施するための最良の形態の説明を行う。
【実施例】
【００１７】
図１は、本発明に係る車載表示システムの構成例を示すブロック図であり、車載表示システム１００は、各種情報の表示を制御するための車載装置であって、車間距離制御(Adaptive  Cruise  Control)システム２０（以下、「ＡＣＣシステム２０」とする。）、車線逸脱警報(Lane  Departure  Warning)システム２１（以下、「ＬＤＷシステム２１」とする。）、車線維持支援(Lane  Keeping  Assist)システム２２（以下、「ＬＫＡシステム２２」とする。）、プリ・クラッシュ・セーフティ（Pre-Crush  Safety）システム２３（以下、「ＰＣＳシステム２３」とする。）等が出力する状態通知信号（各システムの状態を車載表示システム１００に通知するための信号である。）に応じて表示部４に各種情報を表示させる。
【００１８】
ＡＣＣシステム２０は、車間距離を自動的に調整するための制御システムであり、例えば、ミリ波レーダ等の出力に基づいて自車両と先行車両との間の車間距離を検出しながらエンジンＥＣＵ、スロットルアクチュエータ又はブレーキアクチュエータ等を用いて自車両を自動的に加速或いは減速させてその車間距離を調節する。
【００１９】
ＬＤＷシステム２１は、自車両が車線から逸脱したことをドライバーに知らせるための警報システムであり、例えば、路面を撮影する車載カメラの出力に基づいて自車両が現在走行している車線の両側にある車線区分線を自車両が跨いだか否かを判定し自車両がその車線区分線を跨いだことを運転者に知らせるようにする。
【００２０】
ＬＫＡシステム２２は、自車両が現在走行している車線内での走行を継続させるようにする車両制御をアシストする運転支援システムであり、例えば、路面を撮影する車載カメラの出力に基づいて自車両が車線区分線に接近したことを検知すると電動パワーステアリングにおけるステアリングアクチュエータ等を用いて自車両を接近方向とは反対の方向に自動的に移動させるようにする。
【００２１】
ＰＣＳシステム２３は、衝突時の衝撃を和らげるための安全システムであり、例えば、ミリ波レーダの出力に基づいて衝突が不可避であることを検知するとブレーキアクチュエータを用いてブレーキ圧を高め、運転者がブレーキペダルを踏み込んだ場合に十分な制動力を発生させるようにする。
【００２２】
ＡＣＣシステム２０、ＬＤＷシステム２１、ＬＫＡシステム２２、及びＰＣＳシステム２３（以下、これらシステムを集合的に「関連システム」とする。）は何れも、セルフテスト（自己診断）を実行するための制御部を備え、システム自身又は関連するセンサ類（例えば、車載カメラやミリ波レーダ等である。）の故障や誤動作等を検知した場合に自己診断エラーが発生したことを伝える状態通知信号を車載表示システム１００に対して出力する。
【００２３】
車載表示システム１００は、制御部１、意識レベル検知部２、運転者情報取得部３、表示部４、及び音声出力部５を有し、ＣＡＮ(Control  Area  Network)やＬＩＮ(Local  Interconnect  Network)等の車載ＬＡＮを介して関連システムに接続される。
【００２４】
制御部１は、ＣＰＵ（Central  Processing  Unit）、ＲＡＭ(Random  Access  Memory)、ＲＯＭ（Read  Only  Memory）等を備えたコンピュータであって、例えば、情報伝達手段１０、認識時間推定手段１１、出力切り替え手段１２、及び情報認識能力判定手段１３のそれぞれに対応するプログラムをＲＯＭに記憶しながら、各手段に対応する処理をＣＰＵに実行させる。
【００２５】
意識レベル検知部２は、運転者の意識レベルを検知するための装置であり、例えば、運転者の顔を撮影する車載カメラであって、運転者の居眠りの有無、飲酒の有無、瞬き頻度、眼の開き度合い、頭の揺れ等に基づいて制御部１が運転者の意識レベルを複数段階で判定できるようにする。
【００２６】
また、意識レベル検知部２は、運転者の心拍数や呼吸数を測定する装置であってもよく、運転者の脳波を測定する装置であってもよい。
【００２７】
運転者情報取得部３は、運転者の運転に関する認知判断能力を判定するのに有用な情報を取得するための装置であり、例えば、運転者を認証するための生体認証機能を備え、その認証結果に基づいてハードディスクやＤＶＤ等の記憶装置に予め登録された運転者の年齢等を含む運転者情報を取得し、取得した運転者情報を制御部１に出力する装置である。
【００２８】
また、運転者情報取得部３は、運転者が携帯する運転免許証に記載された或いは記憶された運転者情報を読み取るための情報読み取り装置であってもよい。
【００２９】
また、運転者情報取得部３は、専用のスイッチであり、運転者によるオン操作に応じて運転者が高齢（例えば７０歳以上である。）であること示す信号を制御部１に通知するシルバーモードスイッチであってもよい。
【００３０】
表示部４は、各種表示情報を表示するための装置であり、例えば、限られた表示領域で様々な情報を表現可能なディスプレイ（例えば、液晶ディスプレイ、有機ＥＬディスプレイ、プラズマディスプレイ等である。）を備えたインストルメントパネルであり、制御部１が出力する表示命令を受け、その表示命令に応じて状態通知信号毎に異なる表示情報（テキスト情報、グラフィック情報（例えば、シンボルマークである。）、又は、それらの組み合わせで構成される。）を表示する。
【００３１】
図２は、表示部４に表示される表示情報の例を示す図であり、図２（Ａ）は、ＡＣＣシステム２０が１００ｋｍ／ｈの一定速度で定速走行制御を実行している状態を伝える状態通知信号に対応する表示（制御状態表示）である。
【００３２】
また、図２（Ｂ）、図２（Ｃ）、図２（Ｄ）はそれぞれ、ＬＫＡシステム２２、ＰＣＳシステム２３、又はＡＣＣシステム２０がエンジン始動時に或いは何らかの障害により各システムがリセットされた後に自己診断テストを実行している状態（各システムは、自身が有する固有の機能を実行できない状態にある。）を伝える状態通知信号に対応する表示（ダイアグ表示）である。
【００３３】
また、図２（Ｅ）、図２（Ｆ）はそれぞれ、ＬＤＷシステム２１がシステムエラーを検知した状態を伝える状態通知信号に対応する表示、ＡＣＣシステム２０が使用できない状態を伝える状態通知信号に対応する表示（エラー表示）である。
【００３４】
音声出力部５は、各種音声情報を音声出力するための装置であり、例えば、車載スピーカであって、制御部１が出力する音声出力命令を受け、その音声出力命令に応じて状態通知信号毎に異なるブザーや音声メッセージを出力する。
【００３５】
次に、制御部１が有する各種手段について説明する。
【００３６】
情報伝達手段１０は、各種情報を運転者に伝えるための手段であり、例えば、関連システムが出力する状態通知信号に基づいて各状態通知信号に対応する表示命令又は音声出力命令（以下、集合的に「出力命令」とする。）を生成し、生成した出力命令を表示部４及び音声出力部５のそれぞれに対して出力する。なお、情報伝達手段１０は、表示命令及び音声出力命令の双方を同時に出力するようにしてもよく、表示命令及び音声出力命令の何れか一方のみを出力するようにしてもよい。
【００３７】
情報伝達手段１０は、関連システムが状態通知信号の出力を中止するまで表示部４における表示又は音声出力部５における音声出力が継続されるようにその状態通知信号に対応する出力命令を出力し続けるが、特定の状態通知信号の受信が継続している場合であってもその状態通知信号を受信してから所定時間経過後にその状態通知信号に対応する出力命令の出力を中止するようにしてもよい。
【００３８】
また、情報伝達手段１０は、関連システムによる特定の状態通知信号の出力が中止された場合であっても、その状態通知信号を受信してから所定時間が経過するまではその状態通知信号に対応する出力命令の出力を継続するようにしてもよい。
【００３９】
更に、情報伝達手段１０は、関連システムからほぼ同時に複数の状態通知信号を受信した場合には、それら複数の状態通知信号のそれぞれに対応する複数の出力命令を順番に且つ循環的に出力し、受信した全ての状態通知信号に対応する情報をできるだけ短い時間で運転者に伝達することができるようにする。
【００４０】
なお、情報伝達手段１０は、一回の出力命令で表示部４における表示又は音声出力部５における音声出力を開始させ、それに続く一回の中止命令で表示部４における表示又は音声出力部５における音声出力を終了させる方式を採用しながら、上述のような情報伝達を実現するようにしてもよい。
【００４１】
また、情報伝達手段１０は、好適には、状態通知信号毎に予め設定される優先度（例えば、安全性に関する状態通知信号の優先度が最も高く設定される。）に基づいて、出力命令の出力順を決定する。
【００４２】
なお、情報伝達手段１０は、状態通知信号毎に予め設定される優先度に基づいて、受信した状態通知信号の一部に対応する出力命令の生成又は出力を中止し、所定の優先度以上の状態通知信号に対応する出力命令のみを生成又は出力するようにしてもよい。優先度の高い情報をできるだけ短い時間で運転者に伝達することができるようにするためである。
【００４３】
認識時間推定手段１１は、状態通知信号に対応する表示命令に基づいて表示される表示情報を運転者が認識するのに要する時間（以下、「認識時間」とする。）を状態通知信号毎に推定するための手段であり、例えば、表示情報の情報量に基づいて認識時間を推定する。
【００４４】
「情報量」とは、情報理論における概念であり、ある事象が発生した際にその事象がどれほど発生しにくいかを表す尺度である。すなわち、頻繁に発生する事象が発生したことを知らせるための情報における情報量は、希にしか発生しない事象が発生したことを知らせるための情報における情報量よりも小さいこととなる。
【００４５】
各表示情報の情報量は、予め設定された値であってもよく、時間の経過と共に（各表示情報が表示された頻度に応じて）変化する値であってもよい。
【００４６】
このようにして、認識時間推定手段１１は、関連システムが出力する状態通知信号が表す状態のうち発生頻度が低い状態を表す表示情報の認識時間を比較的長めに推定し、一方で、発生頻度の高い状態を表す表示情報の認識時間を比較的短めに推定する。
【００４７】
また、認識時間推定手段１１は、表示情報に含まれる文字情報の文節数、単語数、文字数、若しくは画素数（文字を構成するために使用される画素の数を意味する。）、又は、文字の色、大きさ若しくは書体等に基づいて認識時間を表示情報毎に推定し、或いは、表示情報に含まれるグラフィック情報の色、大きさ、又は背景色等に基づいて認識時間を表示情報毎に推定するようにしてもよい。
【００４８】
例えば、図２（Ｅ）で示す表示情報における文字情報は、「ＬＤＷ」、「システム」、「エラー」、「システムに」、「何らかの」、「異変が」、「あります」の７文節を含み、図２（Ｆ）で示す表示情報における文字情報は、「ＡＣＣ」、「現在」、「使用」、「できません」の４文節を含むので、認識時間推定手段１１は、図２（Ｆ）で示す表示情報の認識時間よりも長い認識時間を、図２（Ｅ）で示す表示情報の認識時間として推定する。
【００４９】
図３は、文字情報に含まれる文節数と認識時間との間の関係の一例を示すグラフであり、横軸に文節数、縦軸に認識時間を配し、認識時間推定手段１１は、文節数が５以下の場合に認識時間を２秒とし、文節数が５から１２に増大するにつれて認識時間も２秒から５秒に増大させ、文節数が１２以上の場合に認識時間を５秒とする。
【００５０】
認識時間推定手段１１は、制御部１のＲＯＭに記憶された図３のグラフに示すような関係を示すルックアップテーブルを参照し、図２（Ｅ）、図２（Ｆ）のそれぞれにおける表示情報の認識時間を３秒（７文節に対応）、２秒（４文節に対応）であると推定する。
【００５１】
また、認識時間推定手段１１は、表示情報に含まれる意味内容に基づいて認識時間を表示情報毎に推定するようにしてもよい。
【００５２】
表示情報の意味内容は、カテゴリ毎に予め分類されており、例えば、現在生じている事象の状態を表す「状態」カテゴリ、及び、特定の状態に対して運転者が取り得る処置を表す「対処」カテゴリの二つのカテゴリに分類される。
【００５３】
また、表示情報の意味内容は、発生した特定の状態の原因を表す「原因」カテゴリ、発生した特定の状態を表す「結果」カテゴリ、及び、特定の状態に対して運転者が取り得る処置を表す「対処」カテゴリの三つのカテゴリに分類される。なお、表示情報の意味内容は、四つ以上のカテゴリに分類されてもよい。
【００５４】
図４は、表示部４に表示される表示情報の別の表示例を示す図であり、図４（Ａ）は、運転者を撮影する車載カメラの出力に基づいてＬＫＡシステム２２が運転者による手放し運転を検知し車線維持支援機能を一時停止させたことを伝える状態通知信号に対応する表示であり、運転者の状態を指摘する「状態」カテゴリに属する文字情報「手放し運転注意！」と、ＬＫＡシステム２２による車線維持支援機能を再開させるために運転者が採るべき処置を運転者に伝える「対処」カテゴリに属する文字情報「ハンドルに手を添えて下さい」とを含む。
【００５５】
また、図４（Ｂ）は、自車両前方を撮影する車載カメラの出力に基づいてＬＫＡシステム２２が車線逸脱を検知し運転者の注意を喚起したことを伝える状態通知信号に対応する表示であり、自車両の状態を指摘する「状態」カテゴリに属する文字情報「車線逸脱注意！」を含み、「対処」カテゴリに属する文字情報を含まない。
【００５６】
また、図４（Ｃ）は、ＬＫＡシステム２２がエンジン始動時の自己診断テストでエラーを検知したことを伝える状態通知信号に対応する表示であり、異常の原因を指摘する「原因」カテゴリに属する文字情報「ＬＫＡシステムエラー」と、異常の発生によって生じた状態を表す「結果」カテゴリに属する文字情報「車線維持支援ができません」と、運転者が取り得る処置を表す「対処」カテゴリに属する文字情報「販売店で点検を受けて下さい」とを含む。
【００５７】
また、図４（Ｄ）は、ＰＣＳシステム２３がエンジン始動時の自己診断テストでエラーを検知したことを伝える状態通知信号に対応する表示であり、異常の原因を指摘する「原因」カテゴリに属する文字情報「ＰＣＳシステムエラー」と、運転者が取り得る処置を表す「対処」カテゴリに属する文字情報「販売店で点検を受けて下さい」とを含み、「結果」カテゴリに属する文字情報を含まない。
【００５８】
ここで、図５を参照しながら、認識時間推定手段１１が表示情報に含まれる文字情報のカテゴリの組み合わせに基づいて認識時間を推定する処理（以下、「認識時間推定処理」とする。）について説明する。なお、図５は、認識時間推定処理の流れを示すフローチャートであり、制御部１は、関連システムから二以上の状態通知信号を同時に受信した場合に、状態通知信号に対応する表示情報のそれぞれに対してこの認識時間推定処理を実行する。
【００５９】
最初に、認識時間推定手段１１は、状態通知信号に対応する表示情報に含まれる一以上の文字情報を文字情報データベースから抽出する。なお、文字情報は、制御部１のＲＯＭに準備された文字情報データベースに検索可能に記憶されており、文字情報データベースの各レコードは、例えば、文節数、単語数、文字数、画素数、色、大きさ、書体、カテゴリ等のフィールドを含む。
【００６０】
その後、認識時間推定手段１１は、「状態」カテゴリに属する文字情報及び「対処」カテゴリに属する文字情報の双方がその表示情報に含まれるか否かを判定する（ステップＳ１）。
【００６１】
「状態」カテゴリに属する文字情報及び「対処」カテゴリに属する文字情報の双方がその表示情報に含まれる場合、認識時間推定手段１１は、その表示情報を運転者が認識するのに要する認識時間が例えば４秒間であると推定する（ステップＳ２）。
【００６２】
一方、「状態」カテゴリに属する文字情報及び「対処」カテゴリに属する文字情報の何れか一方のみがその表示情報に含まれる場合、認識時間推定手段１１は、その表示情報を運転者が認識するのに要する認識時間が例えば２秒間であると推定する（ステップＳ３）。同時に表示される二つのカテゴリに属する文字情報の意味内容を理解するためには、一つのカテゴリに属する文字情報の意味内容を理解するよりも長い時間を要するものと推定されるからである。
【００６３】
ここでは、認識時間推定手段１１は、文字情報データベースの一レコードとして管理される各文字情報のカテゴリ以外の属性（例えば、文節数である。）を考慮することなく、表示情報に含まれるカテゴリの数に基づいて各表示情報の認識時間を推定するが、カテゴリ数に加え或いはカテゴリ数に代えて、カテゴリ以外の属性を考慮しながら各表示情報の認識時間を推定するようにしてもよい。
【００６４】
例えば、認識時間推定手段１１は、カテゴリ数が一つで文節数が多い表示情報の認識時間が、カテゴリ数が二つで文節数が少ない表示情報の認識時間より長くなるように認識時間を推定するようにしてもよい。
【００６５】
なお、認識時間推定手段１１は、文字情報に関する情報ばかりでなく、環境状態（例えば、表示部４の周囲の明るさであり、表示部４の周囲が明るいと表示が見にくくなるので、認識時間は増大する傾向にある。）や走行状態（例えば、走行速度であり、高速走行中には運転者が表示部４を継続的に視認する時間が制限され、運転者は表示部４を断続的に視認することとなるので、認識時間は増大する傾向にある。）に応じて、文字情報に基づいて推定した認識時間を調整するようにしてもよく、認識時間そのものを推定するようにしてもよい。
【００６６】
次に、図１を再度参照しながら、制御部１が有する各種手段の説明を継続する。
【００６７】
出力切り替え手段１２は、表示部４で表示される表示情報を切り替え、或いは、音声出力部５で音声出力される音声情報を切り替えるための手段であり、例えば、認識時間推定手段１１が表示情報毎に推定した推定時間を受け、情報伝達手段１０が表示部４に対して出力する複数の表示命令の出力タイミングを制御する。
【００６８】
ここで、図６を参照しながら、表示情報の切り替えタイミングについて説明する。なお、図６は、図２（Ｅ）で示す表示情報と図２（Ｆ）で示す表示情報との二つの表示情報を切り替えて交互に表示する際の切り替えタイミングを示す図である。
【００６９】
図６に示すように、出力切り替え手段１２は、認識時間推定手段１１により、図２（Ｅ）で示す表示情報に対する認識時間が３秒間であると推定され、図２（Ｆ）で示す表示情報に対する認識時間が２秒間であると推定された場合、図２（Ｅ）の表示情報を所定の表示領域に３秒間表示させた後、図２（Ｅ）の表示情報が表示された表示領域と同じ表示領域に図２（Ｆ）の表示情報を２秒間表示させ、その後も図２（Ｅ）の表示情報の表示と図２（Ｆ）の表示情報の表示とを交互に繰り返すようにする。
【００７０】
これにより、出力切り替え手段１２は、表示情報の一回の表示により運転者がその表示情報の内容を認識するのに必要十分な表示時間だけその表示情報を表示させることとしながら、複数の表示情報を順番に且つ循環的に切り替えて表示するので、運転者に伝えるべき情報を短時間で確実に運転者に伝えることができる。
【００７１】
なお、出力切り替え手段１２は、情報伝達手段１０が関連システムからほぼ同時に複数の状態通知信号を受信した場合、状態通知信号の数（すなわち、表示情報の数である。）を運転者に迅速に伝えるために、表示を開始した後の限られた時間（例えば、最初の３秒間である。）だけ、それら状態通知信号のそれぞれに対応する表示情報を極めて短い時間（例えば、０．５秒である。）で切り替えながら順番に表示させるようにしてもよい。
【００７２】
各表示情報の内容を伝える前に表示情報の数を確実に運転者に伝えるためであり、認識時間推定手段１１が推定した認識時間で切り替えを開始すると、表示情報の総数を運転者が認識していないことから表示情報のうちの少なくとも一つを二回視認せざるを得なくなるからである（運転者は、一度見た表示情報が再び表示されたことを確認するまでは全ての表示情報を一通り見たということを認識できないからである。）。
【００７３】
また、表示情報の総数を運転者が認識していれば、表示情報の見落としを防止する効果もあるからである（運転者は、途中で見落としがあったとしても、一度見た表示情報が再び表示されたことを確認した時点で全ての表示情報を一通り見たものと認識するからである。）。
【００７４】
この場合、出力切り替え手段１２は、文字情報が表示される表示領域の背景色を変えて切り替えを行うようにしてもよい。切り替え回数（すなわち、表示情報の数である。）を運転者がより容易に認識できるようにするためである。
【００７５】
更に、出力切り替え手段１２は、表示情報の切り替えと同期させて各表示情報に対応する音声情報を切り替えるようにしてもよい。
【００７６】
また、出力切り替え手段１２は、タイマで計測した時間を利用するばかりでなく、運転者が実際に表示部４を見ている時間（以下、「実質視認時間」とする。）を用いて、切り替えタイミングを制御するようにしてもよい。
【００７７】
出力切り替え手段１２は、例えば、運転者の顔を撮影する車載カメラの出力に基づいて運転者の視線方向を検知しその視線方向が表示部４の方向に一致する場合に実質視認時間をカウントし、その視線方向が表示部４の方向に一致しない場合に実質視認時間をカウントしないようにする。
【００７８】
これにより、出力切り替え手段１２は、運転者が表示情報の内容を認識するのに必要十分な実質視認時間（運転者が表示部４を見ていない期間を含まない時間である。）だけその表示情報を表示させることとしながら、複数の表示情報を順番に且つ循環的に切り替えて表示するので、運転者に伝えるべき情報を短時間で確実に運転者に伝えることができる。
【００７９】
情報認識能力判定手段１３は、運転者の情報認識能力を判定するための手段であり、例えば、意識レベル検知部２の出力に基づいて現時点における運転者の動的な情報認識能力を判定する。
【００８０】
この場合、情報認識能力判定手段１３は、意識レベル検知部２である運転者の顔を撮影する車載カメラの出力に基づいて乗車時における運転者の眼の開き具合を標準状態（１００％）としながら各時点における運転者の目の開き具合をその時点における意識レベルひいては情報認識能力に合致するものとして百分率で示し、その百分率の値を情報認識能力の判定結果とする。
【００８１】
図７は、運転者の意識レベル（情報認識能力）と認識時間との間の関係の一例を示すグラフであり、縦軸に認識時間、横軸に運転者の意識レベルを配し、認識時間推定手段１１は、情報認識能力判定手段１３により運転者の情報認識能力が低いと判定される意識レベルが１０％以下の場合に認識時間を４秒とし、意識レベルが１０％から９０％に増大するにつれて認識時間も４から２秒に減少させ、情報認識能力判定手段１３により運転者の情報認識能力が高いと判定される意識レベルが９０％以上の場合に認識時間を２秒とする。
【００８２】
また、情報認識能力判定手段１３は、運転者情報取得部３の出力に基づいて運転者の静的な情報認識能力を判定する。
【００８３】
この場合、情報認識能力判定手段１３は、運転者情報取得部３の生体認証機能により認証が行われた運転者の年齢を運転者の情報認識能力の指標とする。一般的に、運転者が高齢になるほど情報を認知して判断するのに要する時間が長くなるからである。
【００８４】
図８は、運転者の年齢（情報認識能力）と認識時間との間の関係の一例を示すグラフであり、縦軸に認識時間、横軸に運転者の年齢を配し、認識時間推定手段１１は、情報認識能力判定手段１３により運転者の情報認識能力が高いと判定される年齢が５０歳以下の場合に認識時間を２秒とし、年齢が５０歳から７０歳に増大するにつれて認識能力も２秒から４秒に増大させ、情報認識能力判定手段１３により運転者の情報認識能力が低いとされる年齢が７０歳以上の場合に認識時間を４秒とする。
【００８５】
同じ表示内容であっても運転者の情報認識能力が低いとその表示内容を運転者が理解するためにより長い時間を必要とするからであり、また、情報認識能力が高い運転者であってもある程度の長さの表示時間（ここでは、２秒間である。）を与えられなければその表示内容を理解することができないからである。
【００８６】
また、情報認識能力判定手段１３は、運転者の年齢以外の運転者情報（例えば、運転免許証における眼鏡等の限定の有無、免許取得後の経過期間等である。）に基づいて運転者の情報認識能力を判定するようにしてもよい。
【００８７】
また、認識時間推定手段１１は、情報認識能力判定手段１３により情報認識能力の指標として採用された運転者の年齢に基づいて認識時間を直接的に導き出す代わりに、他の推定方法を用いて既に推定した認識時間を運転者の年齢に基づいて調節するようにしてもよい。
【００８８】
図９は、運転者の年齢と認識時間調整倍率との間の関係の一例を示すグラフであり、縦軸に認識時間調整倍率、横軸に運転者の年齢を配し、認識時間推定手段１１は、情報認識能力判定手段１３により運転者の情報認識能力が高いと判定される年齢が５０歳以下の場合に認識時間調整倍率を１．０倍（すなわち、調整が行われず、既に推定した認識時間をそのまま用いることを意味する。）とし、年齢が５０歳から７０歳に増大するにつれて認識時間調整倍率も１．０倍から２．０倍に増大させ、情報認識能力判定手段１３により運転者の情報認識能力が低いと判定される年齢が７０歳以上の場合に認識時間調整倍率を２倍（すなわち、既に推定した認識時間の二倍の時間を調整後の認識時間として採用することを意味する。）とする。
【００８９】
また、認識時間推定手段１１は、運転者の意識レベルに基づいて認識時間を推定する場合であっても、図９に示すような認識時間調整倍率による認識時間の調整を行うようにしてもよい。
【００９０】
次に、図１０を参照しながら、車載表示システム１００の制御部１が表示部４に情報を表示する処理（以下、「情報表示処理」とする。）について説明する。なお、図１０は、情報表示処理の流れを示すフローチャートであり、制御部１は、イグニションスイッチがオン状態の間、この情報表示処理を所定周期で繰り返し実行するものとする。
【００９１】
最初に、制御部１は、関連システムからの出力を監視しながら表示部４に表示すべき表示情報が存在するか否かを判定する（ステップＳ１１）。
【００９２】
表示すべき表示情報が存在しないと判定した場合（ステップＳ１１のＮＯ）、制御部１は、情報表示処理を一旦終了させ、次回の処理に備えるようにする。
【００９３】
表示すべき表示情報が存在すると判定した場合（ステップＳ１１のＹＥＳ）、制御部１は、表示すべき表示情報が複数存在するか否かを判定する（ステップＳ１２）。
【００９４】
表示すべき表示情報が複数存在すると判定した場合（ステップＳ１２のＹＥＳ）、制御部１は、情報伝達手段１０により、関連システムが出力する状態通知信号に基づいて各状態通知信号に対応する出力命令を生成し、認識時間推定手段１１により、それら状態通知信号に対応する表示命令に基づいて表示される表示情報を運転者が認識するのに要する認識時間を状態通知信号毎に推定する（ステップＳ１３）。
【００９５】
この際、認識時間推定手段１１は、表示情報に含まれる文字情報の文節数等に応じて認識時間を推定するが、情報認識能力判定手段１３による運転者の情報認識能力判定結果を用いて認識時間を状態通知信号毎に推定してもよく、或いは、運転者の情報認識能力判定結果を用いながら、文節数等に応じて推定された認識時間を調節するようにしてもよい。
【００９６】
その後、制御部１は、出力切り替え手段１２により、認識時間推定手段１１が推定した表示情報毎の認識時間を用いて表示部４に表示される表示情報を順番に且つ循環的に切り替えるようにする（ステップＳ１４）。
【００９７】
一方、表示すべき表示情報が複数存在しないと判定した場合（ステップＳ１２のＮＯ）、すなわち、表示すべき表示情報が一つだけ存在する場合、制御部１は、情報伝達手段１０により、関連システムが出力するその単一の状態通知信号に基づいて出力命令を生成し、その生成した出力命令を表示部４に対して出力することで、対応する表示情報を表示部４に表示させるようにする（ステップＳ１５）。
【００９８】
以上の構成により、車載表示システム１００は、複数の表示情報を順番に且つ循環的に表示させる場合に、表示情報の内容や運転者の情報認識能力に応じて各表示情報の一回の表示時間を柔軟に設定するので、表示情報の内容や運転者の情報認識能力に関係なく定められた一定の切り替え時間を用いて運転者が認識するのに比較的短い時間しか要さない表示情報を必要以上に長い時間にわたって表示させたり、運転者が認識するのに比較的長い時間を要する表示情報を短い時間しか表示させなかったりして運転者に違和感を与えるようなこともなく、順番に表示される複数の表示情報の内容を効率的に運転者に認識させることができる。
【００９９】
以上、本発明の好ましい実施例について詳説したが、本発明は、上述した実施例に制限されることはなく、本発明の範囲を逸脱することなしに上述した実施例に種々の変形及び置換を加えることができる。
【０１００】
例えば、上述の実施例において、車載表示システム１００は、表示部４に用意された単一の表示領域において複数の表示情報を切り替えながら表示できるようにするが、表示部４に用意された複数の表示領域のそれぞれにおいて複数の表示情報を切り替えながら表示できるようにしてもよい。
【０１０１】
その場合、車載表示システム１００は、各表示領域の切り替えタイミングを同期させるようにしてもよく（例えば、二つの表示領域に表示された二つの表示情報が別の二つの表示情報に同時に切り替わることを意味する。）、各表示領域の切り替えタイミングを個別に制御するようにしてもよい。
【０１０２】
また、車載表示システム１００は、複数の表示領域を有する場合に、一の表示領域で表示した表示情報を次の切り替えタイミングで他の表示領域に再び表示させるようにしてもよい。
【０１０３】
これにより、運転者は、第一の表示領域を見ているだけでその第一の表示領域に順番に表示される表示情報の内容を認識することができ（全ての表示情報が一通り第一の表示領域で順番に表示されるものとする。）、更に、切り替えタイミングよりも速くその第一の表示領域に表示された特定の表示情報の内容が認識できた場合には第二の表示領域（次の切り替えタイミングで第一の表示領域に表示される予定の別の表示情報を表示する表示領域である。）を見ることによってより早期に別の表示情報の内容を認識することができる。
【０１０４】
また、運転者は、第一の表示領域に表示された特定の表示情報の内容を一回の表示時間中に認識できなかった場合であっても、第三の表示領域（次の切り替えタイミングで第一の表示領域に表示されていたその特定の表示情報を表示する表示領域である。）を見ることによってその特定の表示情報の内容を確認することができる。
【符号の説明】
【０１０５】
１      制御部
２      意識レベル検知部
３      運転者情報取得部
４      表示部
５      音声出力部
１０    情報伝達手段
１１    認識時間推定手段
１２    出力切り替え手段
１３    情報認識能力判定手段
２０    ＡＣＣシステム
２１    ＬＤＷシステム
２２    ＬＫＡシステム
２３    ＰＣＳシステム
１００  車載表示システム
【図１】
2010201977.tif 000003
【図３】
2010201977.tif 000004
【図５】
2010201977.tif 000005
【図７】
2010201977.tif 000006
【図８】
2010201977.tif 000007
【図９】
2010201977.tif 000008
【図１０】
2010201977.tif 000009
【図２】
2010201977.tif 000010
【図４】
2010201977.tif 000011
【図６】
2010201977.tif 000012